(57)【特許請求の範囲】
【請求項１】
複数の使用形態に変更可能であり、
前記使用形態の変更を検出する検出手段と、
前記検出手段の検出結果に応じて表示画面への画像に関する情報の表示方法を変更する変更手段と、
前記表示画面を縦長及び横長に切り替える手段と、
前記表示画面に直接触れることで入力操作を行うためのタッチパネル手段と、
キー入力操作を行うためのキー入力手段とを備え、
前記検出手段は、前記表示画面を搭載する上部筐体の状態変化を基に前記使用形態の変更を検出し、
前記タッチパネル手段のみの入力操作となる第１の使用形態の場合に、前記表示画面上において各々の画像のアイコンを前記表示画面が縦長または横長の場合よりも大きく表示し、
前記表示画面が横長の第２の使用形態の場合に、サムネイル画像の一覧を左側の画面に表示し、前記サムネイル画像の中から選択された画像に対応する画像の情報の一覧を右側の画面に表示し、
前記表示画面が縦長の第３の使用形態の場合に、前記第１の使用形態の場合よりも多くのアイコンを表示し、前記第２の使用形態の場合よりも大きなアイコンを表示する
ことを特徴とする携帯端末装置。
【請求項２】
前記画像に関する情報の表示方法が、前記表示画面へのサムネイル画像の表示方法であることを特徴とする請求項１記載の携帯端末装置。
【請求項３】
前記画像に関する情報の表示方法が、前記表示画面への複数の画像の情報の一覧表示方法であることを特徴とする請求項１記載の携帯端末装置。
【請求項４】
複数の使用形態に変更可能な携帯端末装置が、
前記使用形態の変更を検出し、
前記使用形態の変更の検出結果に応じて表示画面への画像に関する情報の表示方法を変更し、
前記携帯端末装置は、前記表示画面を縦長及び横長に切り替える手段と、前記表示画面に直接触れることで入力操作を行うためのタッチパネル手段と、キー入力操作を行うためのキー入力手段とを備え、
前記表示画面を搭載する上部筐体の状態変化を基に前記使用形態の変更を検出し、
前記タッチパネル手段のみの入力操作となる第１の使用形態の場合に、前記表示画面上において各々の画像のアイコンを前記表示画面が縦長または横長の場合よりも大きく表示し、
前記表示画面が横長の第２の使用形態の場合に、サムネイル画像の一覧を左側の画面に表示し、前記サムネイル画像の中から選択された画像に対応する画像の情報の一覧を右側の画面に表示し、
前記表示画面が縦長の第３の使用形態の場合に、前記第１の使用形態の場合よりも多くのアイコンを表示し、前記第２の使用形態の場合よりも大きなアイコンを表示する
ことを特徴とする画像表示方法。
【請求項５】
前記画像に関する情報の表示方法が、前記表示画面へのサムネイル画像の表示方法であることを特徴とする請求項４記載の画像表示方法。
【請求項６】
前記画像に関する情報の表示方法が、前記表示画面への複数の画像の情報の一覧表示方法であることを特徴とする請求項４記載の画像表示方法。
【請求項７】
複数の使用形態に変更可能な携帯端末装置内の中央処理装置に、
前記使用形態の変更を検出し、
前記使用形態の変更の検出結果に応じて表示画面への画像に関する情報の表示方法を変
更し、
前記携帯端末装置は、前記表示画面を縦長及び横長に切り替える手段と、前記表示画面に直接触れることで入力操作を行うためのタッチパネル手段と、キー入力操作を行うためのキー入力手段とを備え、
前記表示画面を搭載する上部筐体の状態変化を基に前記使用形態の変更を検出し、
前記タッチパネル手段のみの入力操作となる第１の使用形態の場合に、前記表示画面上において各々の画像のアイコンを前記表示画面が縦長または横長の場合よりも大きく表示し、
前記表示画面が横長の第２の使用形態の場合に、サムネイル画像の一覧を左側の画面に表示し、前記サムネイル画像の中から選択された画像に対応する画像の情報の一覧を右側の画面に表示し、
前記表示画面が縦長の第３の使用形態の場合に、前記第１の使用形態の場合よりも多くのアイコンを表示し、前記第２の使用形態の場合よりも大きなアイコンを表示する
処理を実行させるプログラム。
【発明の詳細な説明】
【技術分野】
【０００１】
本発明は携帯端末装置及びそれに用いる画像表示方法並びにそのプログラムに関し、特に携帯電話機等の携帯端末装置における画像やその画像に関する情報の表示方法に関する。
【背景技術】
【０００２】
近年、画面を縦や横に切り替える機構や、画面に直接触れることで入力操作を行うためのタッチパネル機能を備える携帯端末装置が実現されている。
上記の携帯端末装置は、画像及びその画像に関する情報の表示において、ユーザの設定に基づいて、サムネイル画像の一覧や画像の有するファイル名やタイトル情報の一覧等定型的な情報のみを表示する。
画面を縦や横に切替える機構を備えた携帯端末装置としては、画面の向きに応じてその表示内容の向きを変える装置が提案されている（例えば、特許文献１参照）。
また、画像及びその画像に関する情報の表示を行う携帯端末装置としては、取得した複数のサムネイル画像データを表示部に一覧表示した後、その原画像データを表示部に連続表示する機器が提案されている（例えば、特許文献２参照）。
【特許文献１】特開２００２−１３５３８０号公報
【特許文献２】特開２００４−３３６４９５号公報
【特許文献３】特開２００６−２１１６９０号公報
【発明の開示】
【発明が解決しようとする課題】
【０００３】
上述した携帯端末装置は、画像及びその画像に関する情報の表示を行う際に、ユーザの設定に基づいてサムネイル画像の一覧や画像の有するファイル名やタイトル情報の一覧等定型的な情報のみを表示する。しかしながら、上述した携帯端末装置は、画面の向きや入力操作方法の変更等の使用形態に適した画像及びその画像に関する情報の表示を行っていない。
上述した特許文献１に記載の携帯端末装置は、画面の向きに応じた表示方法のみを提示している。また、特許文献２に記載の携帯端末装置は、画像及びその画像に関する情報の表示を行う際の表示方法のみを提示している。しかしながら、これらの携帯端末装置は、その装置の使用形態に適した画像及びその画像に関する情報の表示は行っていないという問題点があった。
本発明の目的は、上記の問題点を解消し、画面の向きや入力操作の変更等の使用形態各々に適した画像及びその画像に関する情報の表示を行うことができる携帯端末装置及びそれに用いる画像表示方法並びにそのプログラムを提供することにある。
【課題を解決するための手段】
【０００４】
本発明による携帯端末装置は、
複数の使用形態に変更可能であり、
使用形態の変更を検出する検出手段と、
検出手段の検出結果に応じて表示画面への画像に関する情報の表示方法を変更する変更手段とを有する。
本発明による画像表示方法は、
複数の使用形態に変更可能な携帯端末装置が、
使用形態の変更を検出し、
使用形態の変更の検出結果に応じて表示画面への画像に関する情報の表示方法を変更する。
本発明によるプログラムを記録した記憶媒体は、
複数の使用形態に変更可能な携帯端末装置内の中央処理装置に、
使用形態の変更を検出し、
使用形態の変更の検出結果に応じて表示画面への画像に関する情報の表示方法を変更する処理を実行させるプログラムを記録する。
【発明の効果】
【０００５】
本発明による携帯端末装置及びそれに用いる画像表示方法並びにそのプログラムは、使用形態各々に適した画像及びその画像に関する情報の表示を行うことができる。
【図面の簡単な説明】
【０００６】
【図１】本発明の第２の実施の形態による携帯端末装置の構成例を示すブロック図である。
【図２】図１の使用形態変化検出部の構成例を示すブロック図である。
【図３】本発明の第２の実施の形態による携帯端末装置の構成例を示すブロック図である。
【図４】図３の携帯端末装置の画面表示部分の形態を示す図である。
【図５】本発明の第２の実施の形態における画像の一覧を表示する場合の各形態の表示イメージを示す図である。
【図６】本発明の第２の実施の形態における画像の情報の一覧を表示する場合の各形態の表示イメージを示す図である。
【図７】図４に示す各形態１〜３間の移行変化の関係を示す図である。
【図８】本発明の第２の実施の形態による携帯端末装置の画像や画像の情報の表示処理を示すフローチャートである。
【図９】本発明の第２の実施の形態による携帯端末装置の画像や画像の情報の表示処理を示すフローチャートである。
【図１０】本発明の第３の実施の形態による使用形態変化検出部の構成例を示すブロック図である。
【図１１】本発明の第１の実施の形態による携帯端末装置の構成例を示すブロック図である。
【符号の説明】
【０００７】
１  携帯端末装置
１１  制御部
１２  アンテナ
１３  無線部
１４  信号処理部
１５  スピーカ
１６  マイク
１７  音声処理部
１８  記憶部
１９  テンキー
２０  表示部
２１  タッチパネル
２２，２２ａ  使用形態変化検出部
１０１〜１０３，
２０１〜２０３  表示イメージ
１１１  表示方法変更部
２２１  上部筐体回転検出部
２２２  上部筐体スライド検出部
【発明を実施するための最良の形態】
【０００８】
次に、本発明の実施の形態について図面を参照して説明する。図１１は本発明の第１の実施の形態による携帯端末装置の構成例を示すブロック図である。図１１において、携帯端末装置１は、使用形態変化検出部２２と、表示方法変更部１１１とを備えている。
携帯端末装置１は、複数の使用形態に変更可能である。使用形態とは、例えば、携帯端末装置１の画面や筐体の向きや位置をどのように配置するかを指す。また、使用形態とは、例えば、携帯端末装置１の入力操作に何を用いるかを指す。
使用形態変化検出部２２は、携帯端末装置１の使用形態の変更を検出する。尚、使用形態変化検出部２２は、検出手段と呼ばれることもある。
表示方法変更部１１１は、使用形態変化検出部２２の検出結果に応じて、携帯端末装置１の表示画面への画像及びその画像に関する情報の表示方法を変更する。尚、表示方法変更部１１１は、変更手段と呼ばれることもある。
このように、第１の実施の形態による携帯端末装置１は、使用形態各々に適した画像及びその画像に関する情報の表示を行うことができる。なぜならば、使用形態変化検出部２２が検出した携帯端末装置１の使用形態の変化にあわせて、表示方法変更部１１１が画像及びその画像に関する情報の表示方法を変更するからである。
次に、本発明の第２の実施の形態について述べる。図１は本発明の第２の実施の形態による携帯端末装置の構成例を示すブロック図である。図１において、携帯端末装置１は、制御部１１と、アンテナ１２と、無線部１３と、記憶部１８と、テンキー１９と、表示部２０と、使用形態変化検出部２２とから構成されている。
携帯端末装置１は、表示部２０の画面を縦や横に切り替える機構と、画面に直接触れることで入力操作を行うためのタッチパネル機能（タッチパネル２１）を備えているものとする。ここで、表示部２０の画面を搭載する筐体を上部筐体とし、キー入力機能（テンキー１９）を搭載する筐体を下部筐体とする。
制御部１１は、例えばＣＰＵ（中央処理装置）からなり、携帯端末装置１全体を統合的に制御する。無線部１３は、内蔵のアンテナ１２と最寄りの基地局（図示せず）との間で無線による通信を行う。記憶部１８は、制御部１１が実行するプログラムや電話帳データ等を記憶する。テンキー１９は、数字キーや発信キー等の各種キーからなる。表示部２０は、映像等を出力する。タッチパネル２１は、指やタッチペン等により操作可能となっている。
画面を縦や横に切替える機構としては、例えば、上部筐体と下部筐体とからなり、上部筐体にメインの表示画面が配置されている場合、上部筐体のみを回動自在とする機構がある。本発明の第２の実施の形態による携帯端末装置１は、この機構を設けることで、画面の向きを変更可能としている。
また、携帯端末装置１は、タッチパネル機能（タッチパネル２１）とキー入力機能（テンキー１９）とを備え、タッチパネル機能による入力操作とキー入力機能による入力操作とを切り替えることで、入力操作の変更を可能としている。
尚、携帯端末装置１では、上部筐体と下部筐体とを重ね合わせてキー入力機能（テンキー１９）部分を隠している場合にタッチパネル機能（タッチパネル２１）による入力操作のみが可能となる。また、携帯端末装置１では、上部筐体を回転させることで、キー入力機能（テンキー１９）部分を露出させると、タッチパネル機能（タッチパネル２１）による入力操作とキー入力機能（テンキー１９）による入力操作とが可能となる。
図２は図１の使用形態変化検出部２２の構成例を示すブロック図である。図２において、使用形態変化検出部２２は、上部筐体回転検出部２２１を備えて構成されている。上部筐体回転検出部２２１は、上部筐体が回転されて上部筐体の長手方向と下部筐体の長手方向とが直交する状態と、その状態からさらに上部筐体が回転されて上部筐体の長手方向と下部筐体の長手方向とが平行となる状態を検出する。また、上部筐体回転検出部２２１は、上部筐体の長手方向と下部筐体の長手方向とが平行となる状態において、上部筐体と下部筐体が重なっている状態と重なっていない状態を別の状態として検出してもよい。
尚、使用形態変化検出部２２による携帯端末装置１の使用形態の変化検出としては、（１）ハードウェア的に上部筐体及び下部筐体の向きを検出する方法、（２）加速度センサ（図示せず）にて上部筐体及び下部筐体の向きを検出する方法等があるが、いずれの方法を用いてもよい。
ここで、（１）の方法の詳細な例を説明する。筐体回転検出部２２１は、携帯端末装置１の上部筐体と下部筐体に、対向する第１の接点と第２の接点を備える。筐体回転検出部２２１は、第１の接点と第２の接点がお互いに接触しているかどうかを判定する。これらの接点は、例えば、電気的な接点でもよいし、磁気センサでもよい。これらの接点を、上部筐体が回転された時に上部筐体と下部筐体が接触する位置に配置することで、筐体回転検出部２２１は、上部筐体と下部筐体の位置関係を検出する。すなわち、これらの接点を携帯端末装置１の当該使用形態時に上部筐体と下部筐体が接触する位置に配置することで、使用形態変化検出部２２は、携帯端末装置１の使用形態を検出する。なお、第１の接点と第２の接点はそれぞれ１つでもよいし、複数でもよい。複数の場合、筐体回転検出部２２１は、対向する複数の接点の組合せのうち、どの接点とどの接点が接触しているかを検出してもよい。
携帯端末装置１では、タッチパネル機能（タッチパネル２１）による入力操作を行う使用形態を「タッチスタイル」とする。また、上部筐体のみを回動させて画面を横長の状態で使用する使用形態を「横スタイル」とする。また、「横スタイル」からさらに上部筐体を回動させることで画面を縦長の状態で使用する使用形態を「縦スタイル」とする。
ユーザによる入力操作に関して、携帯端末装置１は、「タッチスタイル」の場合、タッチパネル機能（タッチパネル２１）による入力操作のみが可能で、キー入力機能（テンキー１９）による入力操作を行うことはできない。
携帯端末装置１は、「横スタイル」及び「縦スタイル」の場合、タッチパネル機能（タッチパネル２１）とキー入力機能（テンキー１９）とを備えていてもよいし、または、キー入力機能（テンキー１９）のみを備えていてもよい。
携帯端末装置１は、タッチパネル機能（タッチパネル２１）とキー入力機能（テンキー１９）とを備えていれば、タッチパネル機能（タッチパネル２１）による入力操作とキー入力機能（テンキー１９）による入力操作とが可能である。また、「横スタイル」においては、横長の画面上に、右画面と左画面とをそれぞれ別々に表示する２つの画面表示が可能である。
携帯端末装置１は、「タッチスタイル」、「横スタイル」、「縦スタイル」の携帯端末装置１に対する使用形態の変化を検出し、その検出結果に応じて画像及びその画像に関する情報（画像の有するファイル名やタイトル情報等）の表示を自動的に変更している。
例えば、「タッチスタイル」は、キー入力機能（テンキー１９）による入力操作ができず、指によるタッチパネル機能（タッチパネル２１）のみの入力操作となる使用形態である。このため、「タッチスタイル」の場合、携帯端末装置１は、ユーザが指による選択を行いやすいように、画面上において各々の画像のアイコンを大きく表示するようにしている。
「横スタイル」の場合、携帯端末装置１は、右画面と左画面とをそれぞれ別々に表示する２つの画面表示の特徴を生かして、サムネイル画像の一覧を左画面に表示し、サムネイル画像の中から選択された画像に対応する画像に関する情報の一覧を右部の画面に表示している。尚、左画面に表示する内容と右画面に表示する内容は逆でもよい。
「縦スタイル」の場合、携帯端末装置１は、タッチパネル機能（タッチパネル２１）による入力操作とキー入力機能（テンキー１９）による入力操作とが可能な特徴を生かし、「タッチスタイル」の場合よりも多く画像のアイコンを表示する。またユーザが指による選択を行いやすいように、「横スタイル」の場合よりも画像のアイコンを大きく表示するようにしている。
一方、画像に関する情報の一覧を表示する際について説明する。「タッチスタイル」は、キー入力機能（テンキー１９）による入力操作ができず、指によるタッチパネル機能（タッチパネル２１）のみの入力操作となる使用形態である。このため、「タッチスタイル」の場合、携帯端末装置１は、ユーザが指による選択を行いやすいように、画面上において画像に関する情報を大きく表示している。
「横スタイル」の場合、携帯端末装置１は、右画面と左画面とをそれぞれ別々に表示する２つの画面表示の特徴を生かして、画像に関する情報の一覧を左画面に表示し、その一覧の中から選択された画像に関する情報に対応する画像を右画面に表示している。尚、左画面に表示する内容と右画面に表示する内容は逆でもよい。
「縦スタイル」の場合、携帯端末装置１は、タッチパネル機能（タッチパネル２１）による入力操作とキー入力機能（テンキー１９）による入力操作とが可能な特徴を生かし、「タッチスタイル」の場合よりも画像に関する情報を多く表示する。またユーザが指による選択を行いやすいように、「横スタイル」の場合よりも画像に関する情報を大きく表示するようにしている。
このように、本発明の第２の実施の形態による携帯端末装置は、画像及び画像に関する情報の表示に関して、画面の向きや入力操作の変更等の各使用形態に応じて、それぞれの使用形態に適した画像及び画像に関する情報の表示を行うことができる。
図３は本発明の第２の実施の形態による携帯端末装置の構成例を示すブロック図である。図３は、本発明の第２の実施の形態による携帯端末装置１の一例として、画面を縦や横に切り替える機構と、画面に直接触れることで入力操作を行うためのタッチパネル機能とを備えている携帯端末装置を示している。
画面を縦や横に切替える機構としては、例えば、上記のように、上部筐体と下部筐体とからなり、上部筐体にメインの表示画面が配置されている場合、上部筐体のみを回動自在とする機構がある。また、この携帯端末装置は、タッチパネル機能とキー入力機能とを備え、タッチパネル機能による入力操作とキー入力機能による入力操作とを切り替えることで、入力操作の切り替えを可能としている。
尚、上記の携帯端末装置では、上部筐体と下部筐体とを重ね合わせてテンキー部分を隠している場合にタッチパネル機能による入力操作のみが可能となる。また、上記の携帯端末装置では、上部筐体を回動させることで、テンキー部分を露出させると、タッチパネル機能による入力操作とキー入力機能による入力操作とが可能となる。
図３において、携帯端末装置１は、制御部１１と、アンテナ１２と、無線部１３と、信号処理部１４と、スピーカ１５と、マイク１６と、音声処理部１７と、記憶部１８と、テンキー１９と、表示部２０と、使用形態変化検出部２２とから構成されている。
制御部１１は、例えばＣＰＵからなり、携帯端末装置１全体を統合的に制御する。無線部１３は、内蔵のアンテナ１２と最寄りの基地局（図示せず）との間で無線による通信を行う。
信号処理部１４は、送受信信号の処理を行う。スピーカ１５は音声を出力する。マイク１６は音声を取得する。音声処理部１７はスピーカ１５へ供給するために受話音声の信号等各種音声信号を処理し、またマイク１６が送信する音声信号を処理する。
記憶部１８は、制御部１１が実行するプログラムや電話帳データ等を記憶する。テンキー１９は、数字キーや発信キー等の各種キーからなる。表示部２０は、映像等を出力し、タッチパネル２１を備えている。タッチパネル２１は、指やタッチペン等により操作可能となっている。
画面を縦や横に切替える機構としては、例えば、上部筐体と下部筐体とからなり、上部筐体にメインの表示画面が配置されている場合、上部筐体のみを回動自在とする機構がある。本発明の第２の実施の形態による携帯端末装置１は、この機構を設けることで、画面の向きを変更可能としている。
また、携帯端末装置１は、タッチパネル機能（タッチパネル２１）とキー入力機能（テンキー１９）とを備え、タッチパネル機能（タッチパネル２１）による入力操作とキー入力機能（テンキー１９）による入力操作とを切り替えることで、入力操作の変更を可能としている。
使用形態変化検出部２２は、上記の図２に示すように、上部筐体回転検出部２２１を備えて構成されている。上部筐体回転検出部２２１は、上部筐体が回転されて上部筐体の長手方向と下部筐体の長手方向とが直交する状態と、その状態からさらに上部筐体が回転されて上部筐体の長手方向と下部筐体の長手方向とが平行となる状態を検出する。また、上部筐体回転検出部２２１は、上部筐体の長手方向と下部筐体の長手方向とが平行となる状態において、上部筐体と下部筐体が重なっている状態と重なっていない状態を別の状態として検出してもよい。
尚、使用形態変化検出部２２による携帯端末装置１の使用形態の変化検出としては、上記の（１）及び（２）の方法等があるが、いずれの方法を用いてもよい。
図４は図３の携帯端末装置１の画面表示部分の形態を示す図である。図４において、携帯端末装置１の画面表示部分は１８０度回転する機構となっている。図４（ａ）は「形態１：タッチスタイル」、図４（ｂ）は「形態２：横スタイル」、図４（ｃ）は「形態３：縦スタイル」をそれぞれ示している。
ユーザ操作に関して、「形態１：タッチスタイル」では、タッチパネル２１の操作のみが可能であり、テンキー１９の操作はできない。「形態２：横スタイル」及び「形態３：縦スタイル」では、タッチパネル２１の操作とテンキー１９の操作とが可能である。また、「形態２横スタイル」においては、２画面の表示が可能である。
図５は本発明の第２の実施の形態における画像の一覧を表示する場合の各形態の表示イメージを示す図である。図５（ａ）は図４（ａ）に示す「形態１」での表示イメージ１０１を示し、図５（ｂ）は図４（ｂ）に示す「形態２」での表示イメージ１０２を示し、図５（ｃ）は図４（ｃ）に示す「形態３」での表示イメージ１０３を示している。
図６は本発明の第２の実施の形態における画像の情報の一覧を表示する場合の各形態の表示イメージを示す図である。図６（ａ）は図４（ａ）に示す「形態１」での表示イメージ２０１を示し、図６（ｂ）は図４（ｂ）に示す「形態２」での表示イメージ２０２を示し、図６（ｃ）は図４（ｃ）に示す「形態３」での表示イメージ２０３を示している。
図７は図４に示す各形態１〜３間の移行変化の関係を示す図である。これら図３〜図７を参照して本発明の第２の実施の形態による携帯端末装置１における画像や画像の情報の表示動作について説明する。本発明の第２の実施の形態による携帯端末装置１は、「形態１：タッチスタイル」、「形態２：横スタイル」、「形態３：縦スタイル」の形態変化に伴い、自動的に画面表示を変更する。
図５において、表示イメージ１０１は、「形態１：タッチスタイル」の形態の場合の表示である。「形態１：タッチスタイル」は、テンキー１９の操作はできず、指によるタッチパネル２１のみの操作となる形態のため、利用者が画像の選択を行いやすいように、画像のアイコンが大きな表示として配置されている。
表示イメージ１０２は、「形態２：横スタイル」の形態の場合の表示である。「形態２：横スタイル」においては、携帯端末装置１は、２画面表示の特徴を生かして、画像の一覧を左側の画面に表示し、選択された画像に対応する画像の情報の一覧を右側の画面に表示している。尚、左画面に表示する内容と右画面に表示する内容は逆でもよい。
表示イメージ１０３は、「形態３：縦スタイル」の形態の場合の表示である。「形態３：縦スタイル」においては、携帯端末装置１は、タッチパネル２１の操作とテンキー１９の操作とが可能な形態を生かし、表示イメージ１０１よりも多くの画像のアイコン、また表示イメージ１０２よりも大きな画像のアイコンを表示している。
図６において、表示イメージ２０１は、「形態１：タッチスタイル」の形態の場合の表示である。「形態１：タッチスタイル」は、テンキー１９の操作はできず、指によるタッチパネル２１のみの操作となる形態のため、利用者が選択を行いやすいように、画像の情報の一覧が大きく表示されるように配置されている。
表示イメージ２０２は、「形態２：横スタイル」の形態の場合の表示である。「形態２：横スタイル」においては、携帯端末装置１は、２画面表示の特徴を生かして、画像の情報の一覧を左側の画面に表示し、選択された画像の情報に対応する画像を右側の画面に表示する。尚、左画面に表示する内容と右画面に表示する内容は逆でもよい。
表示イメージ２０３は、「形態３：縦スタイル」の形態の場合の表示である。「形態３：縦スタイル」においては、携帯端末装置１は、タッチパネル２１の操作とテンキー１９の操作とが可能な形態を生かし、表示イメージ２０１よりも多くの画像の情報のアイコン、また表示イメージ２０２よりも大きな画像の情報のアイコンを表示している。
また、本発明の第２の実施の形態では、各形態の表示イメージ１０１〜１０３，２０１〜２０３に表示される切替釦を押下することにより、図７に示すように、表示イメージ１０１と表示イメージ２０１、表示イメージ１０２と表示イメージ２０２、表示イメージ１０３と表示イメージ２０３との相互の表示切り替えも可能である。
図８及び図９は本発明の第２の実施の形態による携帯端末装置１の画像や画像の情報の表示処理を示すフローチャートである。これら図３〜図９を参照して本発明の第２の実施の形態による携帯端末装置１の画像や画像の情報の表示処理について説明する。尚、図８及び図９に示す処理は、制御部１１が記憶部１８に格納されたプログラムを実行することで実現される。
携帯端末装置１の制御部１１は、画像表示処理を行う際に、まず画像を表示するか否かを判定する（図８ステップＳ１）。制御部１１は、画像を表示すると判定した場合、使用形態変化検出部２２にて上部筐体及び下部筐体の状態から使用形態を検出する（図８ステップＳ２）。
制御部１１は、使用形態変化検出部２２にて上部筐体と下部筐体とが重なっていることが検出されると（図８ステップＳ３）、図５（ａ）に示す表示イメージ１０１にて画像を表示する（図８ステップＳ４）。
制御部１１は、使用形態変化検出部２２にて上部筐体と下部筐体とが重なっておらず、上部筐体の長手方向と下部筐体の長手方向とが直交していることが検出されると（図８ステップＳ５）、図５（ｂ）に示す表示イメージ１０２にて画像を表示する（図８ステップＳ６）。
制御部１１は、使用形態変化検出部２２にて上部筐体と下部筐体とが重なっておらず、上部筐体の長手方向と下部筐体の長手方向とが平行であることが検出されると（図８ステップＳ５）、図５（ｃ）に示す表示イメージ１０３にて画像を表示する（図８ステップＳ７）。
一方、制御部１１は、画像を表示しないと判定し、画像の情報を表示すると判定した場合（図９ステップＳ９）、使用形態変化検出部２２にて上部筐体及び下部筐体の状態から使用形態を検出する（図９ステップＳ１０）。
制御部１１は、使用形態変化検出部２２にて上部筐体と下部筐体とが重なっていることが検出されると（図９ステップＳ１１）、図６（ａ）に示す表示イメージ２０１にて画像を表示する（図９ステップＳ１２）。
制御部１１は、使用形態変化検出部２２にて上部筐体と下部筐体とが重なっておらず、上部筐体の長手方向と下部筐体の長手方向とが直交していることが検出されると（図９ステップＳ１３）、図６（ｂ）に示す表示イメージ２０２にて画像を表示する（図９ステップＳ１４）。
制御部１１は、使用形態変化検出部２２にて上部筐体と下部筐体とが重なっておらず、上部筐体の長手方向と下部筐体の長手方向とが平行であることが検出されると（図９ステップＳ１３）、図６（ｃ）に示す表示イメージ２０３にて画像を表示する（図８ステップＳ１５）。
制御部１１は、上記の処理（図８ステップＳ１〜Ｓ７，図９ステップＳ９〜Ｓ１５の処理）を、処理終了（電源が断となる、あるいは所定時間入力がない等の状態）となるまで（図８ステップＳ８）、繰り返し実行する。
このように、本発明の第２の実施の形態では、図４に示すように、複数の使用形態に変更可能な携帯端末装置１において、使用形態（形態１〜形態３）の変化にあわせて、画像の一覧表示の変更が可能になるという効果がある。
また、本発明の第２の実施の形態では、図４に示すように、複数の使用形態に変更可能な携帯端末装置１において、使用形態の変化にあわせて、画像の情報の一覧表示の変更が可能になるという効果がある。
次に、本発明の第３の実施の形態について述べる。本発明の第３の実施の形態による携帯端末装置は、その基本構成が、図３に示す本発明の第２の実施の形態による携帯端末装置１と同様の構成となっている。また、本発明の第３の実施の形態による携帯端末装置は、画面を縦や横に切替える機構として、上部筐体と下部筐体とからなり、上部筐体にメインの表示画面が配置されている場合、上部筐体のみを回動自在とするとともに、上部筐体と下部筐体とを画面の長手方向と平行にスライドさせる機構を用いている。
図１０は本発明の第３の実施の形態による使用形態変化検出部の構成例を示すブロック図である。図１０において、本発明の第３の実施の形態による使用形態変化検出部２２ａは、上部筐体回転検出部２２１の他に、上部筐体スライド検出部２２２を備えて構成されている。
上部筐体スライド検出部２２２は、上部筐体と下部筐体とが重なっている状態から、上部筐体が下部筐体に対して画面の長手方向と平行にスライドしたことを検出する。尚、使用形態変化検出部２２ａによる携帯端末装置の使用形態の変化検出としては、上述した（１）及び（２）の方法等のうちのいずれの方法を用いてもよい。
本発明の第３の実施の形態では、使用形態として、上部筐体と下部筐体とが画面の長手方向と平行にスライドされた状態で使用される形態を含む以外は、上記の本発明の第２の実施の形態と同様の動作であり、本発明の第２の実施の形態と同様の効果を奏する。
尚、本発明の実施の形態による携帯端末装置では、画像や画像の情報の表示が図５及び図６に示すような表示に依存しない場合も考えられる。例えば、本発明の実施の形態による携帯端末装置は、ユーザ設定によって、「形態１：タッチスタイル」の時に表示イメージ１０１、「形態２：横スタイル」の時に表示イメージ２０２、「形態３：縦スタイル」の時に表示イメージ１０３を表示することも可能である。
また、本発明の実施の形態による携帯端末装置では、使用形態の移行変化が図７に示すような移行変化に依存しない場合も考えられる。例えば、本発明の実施の形態による携帯端末装置は、「形態２：横スタイル」を経由せず、「形態１：タッチスタイル」から「形態３：縦スタイル」に使用形態が直接変化してもよい。
以上、実施形態を参照して本願発明を説明したが、本願発明は上記実施形態に限定されるものではない。本願発明の構成や詳細には、本願発明のスコープ内で当業者が理解し得る様々な変更をすることができる。
【産業上の利用可能性】
【０００９】
本発明は、上記のように、画面を縦や横に切り替える機構と、画面に直接触れることで入力操作を行うためのタッチパネル機能とを少なくとも備えている携帯電話機、スマートフォン、ＰＤＡ（Ｐｅｒｓｏｎａｌ  Ｄｉｇｉｔａｌ  Ａｓｓｉｓｔａｎｔ）、携帯音楽端末等の端末装置に適用可能である。
この出願は、２００８年１０月１日に出願された日本特許出願特願２００８−２５５８７６を基礎とする優先権を主張し、その開示の全てを盛り込む。
【図１】
0005531962.tif 000002
【図２】
0005531962.tif 000003
【図３】
0005531962.tif 000004
【図４】
0005531962.tif 000005
【図５】
0005531962.tif 000006
【図６】
0005531962.tif 000007
【図７】
0005531962.tif 000008
【図８】
0005531962.tif 000009
【図９】
0005531962.tif 000010
【図１０】
0005531962.tif 000011
【図１１】
0005531962.tif 000012